(57)【特許請求の範囲】
【請求項１】
可撓性ネットの所定範囲内に所定温度に制御される電気温床線を固着手段を用いて複数列に配設したコンクリート養生用ネットヒーターであり、前記電気温床線の配設に当たり、該電気温床線を前記ネットと共にガラス繊維で巻装し、該巻装したガラス繊維を固着手段であるプラスチック結束バンドを用いて固定して成るコンクリート養生用ネットヒーターに於いて、
上記可撓性ネットは市販のポリエチレン製の格子状の可撓性ネットを以って充当されるとともに、上記電気温床線に対する所定温度の制御はバイメタルを用いることによって遂行され、且つ、上記コンクリート養生用ネットヒーターは、木製のコンクリートパネルを介して打設されたコンクリートを保温養生することを特徴とするコンクリート養生用ネットヒーター。
【請求項２】
可撓性ネットの所定範囲内に所定温度に制御される電気温床線を固着手段を用いて複数列に配設したコンクリート養生用ネットヒーターであり、前記電気温床線の配設に当たり、該電気温床線を前記ネットと共にガラス繊維で巻装し、該巻装したガラス繊維を固着手段であるプラスチック結束バンドを用いて固定して成るコンクリート養生用ネットヒーターであって、上記可撓性ネットは市販のポリエチレン製の格子状の可撓性ネットを以って充当されるとともに、上記電気温床線に対する所定温度の制御はバイメタルを用いることによって遂行されるところのコンクリート養生用ネットヒーターを形成し、該コンクリート養生用ネットヒーターをコンクリート打設前の打ち止め型枠と木製のコンクリートパネル間に設置し、コンクリートを養生することを特徴とするコンクリート養生用ネットヒーターを用いたコンクリート養生方法。
【発明の詳細な説明】
【０００１】
【発明の属する技術分野】
この発明は、コンクリート養生用ネットヒーター及び該ネットヒーターを用いたコンクリート養生方法に関するものであり、特に、冬期に於ける打ち止め型枠を用いたコンクリート施工に於て、打ち込みコンクリートの固結前の凍結を防止するコンクリート養生用ネットヒーター及び該ネットヒーターを用いたコンクリート養生方法に関するものである。
【０００２】
【従来の技術】
従来、冬期のコンクリート打設工事に於ては、コンクリートの固結前に水分が凍結し、打ち込んだコンクリートが完全に固結しなかったり、スポンジ状のいわゆる「す入り」になって施工不良となるため、コンクリート打設部分全体を一定期間保温して養生する必要があった。
【０００３】
そこで、コンクリート打設後の養生のため、打設コンクリートの回りに仮設の支柱を立て、該支柱にシートを支持させて該シートで打設コンクリートを被覆し、該シート内で石油ストーブや煉炭等を燃やして打設コンクリートを保温している。
【０００４】
しかし、この方法では火災になる危険があり、又、燃焼機器の近傍は保温できても、全体を均一に保温することは困難であり、従って、打設コンクリートには部分的に温度差ができて、これに起因するクラックが発生する難点があった。
又、コンクリートパネルにヒーターを埋め込んだものも市販されている。しかし、この方法では脱枠後のコンクリートパネルのケルン作業（こびりついたコンクリートをブラシ、ハンマー、高圧水で剥がす作業）に於てコンクリートパネルが痛み、転用回数が１０回程度越えた場合、ヒーター組み込みのパネルをまるごと買い替えなければならず高価となる。
【０００５】
更に又、図４（ａ）は前述の問題点を解消するための従来のコンクリート養生用ネットヒーター１であり、該コンクリート養生用ネットヒーター１は、可撓性端縁部材２を矩形状に成形し、該端縁部材２内に合成繊維線条３，３…を経編みすると共に、該合成繊維線条３，３…の横方向１本おきに連続する１本のコードヒーター４を編み組し、更に、該コードヒーター４の入力端部４ａを外方に延設させ、且つ、該コードヒーター４の末端部４ｂを前記合成繊維線条３，３…に結着したものであり、前記合繊繊維線条３，３…の四方端縁は前記端縁部材２，２…に係止するように編み組されている。
【０００６】
そして、前記入力端部４ａはコネクター５を介して電源コード６に接続され、該電源コード６は差込プラグ７に接続されている。
更に、前記コードヒーター４の断面は、図４（ｂ）に示す如く、２本の発熱線４ｃ，４ｃがシリコンゴム４ｄ，４ｄで被覆されると共に、シリコンゴム層４ｅ、ガラス繊維織布４ｆで被覆され、更に、ステンレスブレード４ｇで保護されている。そして、同図（ｃ）に示す如く、前記発熱線４ｃは前記末端部４ｂでＵ字状に折り返して収納されている。
【０００７】
而して、打設コンクリートに前記コンクリート養生用ネットヒーター１を敷設し、該コンクリート養生用ネットヒーター１上にシート（図示せず）を被覆した後、前記差込プラグ７を図示しない電源に接続すると、前記発熱線４ｃが発熱し、打設コンクリートを保温し、養生する。
【０００８】
【発明が解決しようとする課題】
上記従来の打設コンクリートの養生は、打設コンクリートの回りに仮設の支柱を立ててシートで被覆し、該シート内で石油ストーブや煉炭等を燃やしてコンクリートを保温するが、この方法は火災になる危険があり、又、全体を均一に保温することが困難であり、不均一な保温によりコンクリートにクラックが発生する等の問題があった。
【０００９】
又、コンクリートパネルにヒーターを埋め込んだものも市販されているが、この方法では脱枠後のコンクリートパネルのケルン作業に於てコンクリートパネルが痛むため、数回の転用後、ヒーター組み込みのパネルをまるごと買い替えなければならず、高価となる。
【００１０】
更に、コンクリート養生用ネットヒーターを用いる方法は、打設コンクリートにコンクリート養生用ネットヒーターを敷設し、その上からシートを被覆した後、前記コンクリート養生用ネットヒーターを発熱させて打設コンクリートを保温し、養生するが、前記コンクリート養生用ネットヒーターは打設コンクリート表面に直接接触するように敷設するため、コンクリートの所定の固化を待って前記コンクリート養生用ネットヒーターを設置する必要がある。従って、コンクリート打設直後から保温できないため、コンクリートの養生を促進することができないという問題があった。
【００１１】
そこで、冬期に於ける打設コンクリートの凍結を防止して、品質の低下を防止すると共に、コンクリートの養生を促進し、施工サイクルを短縮するために解決すべき技術的課題が生じてくるのであり、本発明はこの課題を解決することを目的とする。
【００１２】
【課題を解決するための手段】
本発明は上記目的を達成するために提案されたものであり、可撓性ネットの所定範囲内に所定温度に制御される電気温床線を固着手段を用いて複数列に配設したコンクリート養生用ネットヒーターであり、前記電気温床線の配設に当たり、該電気温床線を前記ネットと共にガラス繊維で巻装し、該巻装したガラス繊維を固着手段であるプラスチック結束バンドを用いて固定して成るコンクリート養生用ネットヒーターに於いて、
上記可撓性ネットは市販のポリエチレン製の格子状の可撓性ネットを以って充当されるとともに、上記電気温床線に対する所定温度の制御はバイメタルを用いることによって遂行され、且つ、上記コンクリート養生用ネットヒーターは、木製のコンクリートパネルを介して打設されたコンクリートを保温養生することを特徴とするコンクリート養生用ネットヒーター、
及び、可撓性ネットの所定範囲内に所定温度に制御される電気温床線を固着手段を用いて複数列に配設したコンクリート養生用ネットヒーターであり、前記電気温床線の配設に当たり、該電気温床線を前記ネットと共にガラス繊維で巻装し、該巻装したガラス繊維を固着手段であるプラスチック結束バンドを用いて固定して成るコンクリート養生用ネットヒーターであって、上記可撓性ネットは市販のポリエチレン製の格子状の可撓性ネットを以って充当されるとともに、上記電気温床線に対する所定温度の制御はバイメタルを用いることによって遂行されるところのコンクリート養生用ネットヒーターを形成し、該コンクリート養生用ネットヒーターをコンクリート打設前の打ち止め型枠と木製のコンクリートパネル間に設置し、コンクリートを養生することを特徴とするコンクリート養生用ネットヒーターを用いたコンクリート養生方法を提供するものである。
【００１３】
【発明の実施の形態】
以下、本発明の一実施の形態を図１乃至図３に従って詳述する。図１に於いて、１１はコンクリート養生用ネットヒーターであり、該コンクリート養生用ネットヒーター１１は、市販のポリエチレン製の格子状の可撓性のネット１２の略全面に、１本の電気温床線１３を折曲し複数列に配列して固着したものである。
【００１４】
該電気温床線１３は例えば出力２５Ｗ／ｍのもので、約２００Ｗ／ｍ2となるように配置され、バイメタルで所定の温度に制御されるように構成されと共に、該電気温床線１３の内部には該電気温床線１３の末端部１３ａで折り返される２本の発熱線（図示せず）が収納されており、且つ、該電気温床線１３の一端部は前記格子状の可撓性のネット１２から延設され、先端に差込プラグ１４が設けられている。
【００１５】
図２は前記ネット１２に前記電気温床線１３，１３…を取付ける方法を示し、該電気温床線１３，１３…を前記ネット１２と共にガラス繊維１５，１５…で巻装し、該電気温床線１３，１３…及び該ネット１２を巻装したガラス繊維１５，１５…を固着手段としてのプラスチック結束バンド１６，１６…を用いて固定する。
【００１６】
従って、前記コンクリート養生用ネットヒーター１１は比較的簡単、且つ、安価に作成することができると共に、軽量、且つ、可撓性のネットであるので、持ち運びが容易であり、更に、種々の場所に施工することが可能である。
而して、前記ネット１２に前記電気温床線１３，１３…を取付けた前記コンクリート養生用ネットヒーター１１を、図３に示す如く、コンクリート打設前の鉄製の打ち止め型枠１７と木製のコンクリートパネル１８の間に設置する。
【００１７】
そして、該コンクリートパネル１８側方にコンクリートＣを打設した後、前記コンクリート養生用ネットヒーター１１に通電すると、該コンクリート養生用ネットヒーター１１の発熱によってコンクリートＣを保温し、養生することができる。
【００１８】
これによって、コンクリートＣに直接接触することなくコンクリートＣ打設直後から保温し、養生することができ、冬期に於けるコンクリートＣの凍結、及び、品質の低下を防止することができると共に、コンクリートＣの養生に必要な積算温度を早期に確保して、養生を促進することができ、型枠の脱型を早期に行うことが可能となり、施工サイクルを短縮することができる。更に、前記養生方法はケルン作業でコンクリートパネル１８が痛んだ場合、該コンクリートパネル１８のみを交換すれば良く、前記コンクリート養生用ネットヒーター１１は何度でも転用可能であり、経済的である。
【００１９】
又、図示は省略するが、前記コンクリート養生用ネットヒーター１１は、前述した使用方法の他に、例えば、打設コンクリートの所定の固化を待ってコンクリートの表面に該コンクリート養生用ネットヒーター１１を展張し、コンクリートの表面を保温し、養生することも可能である。
【００２０】
更に、コンクリートを打ち継ぐための打設前の清掃が終わったコンクリート表面に前記コンクリート養生用ネットヒーター１１を展張し、凍結防止、及び、養生を図ることも可能である。
尚、本発明は、本発明の精神を逸脱しない限り種々の改変を為すことができ、そして、本発明が該改変されたものに及ぶことは当然である。
【００２１】
【発明の効果】
本発明は上記一実施の形態に詳述したように、請求項１記載の発明は、可撓性ネットの所定範囲内に所定温度に制御される電気温床線を固着手段を用いて複数列に配設したコンクリート養生用ネットヒーターであり、前記電気温床線の配設に当たり、該電気温床線を前記ネットと共にガラス繊維で巻装し、該巻装したガラス繊維を固着手段であるプラスチック結束バンドを用いて固定して成るコンクリート養生用ネットヒーターに於いて、上記可撓性ネットは市販のポリエチレン製の格子状の可撓性ネットを以って充当されるとともに、上記電気温床線に対する所定温度の制御はバイメタルを用いることによって遂行され、且つ、上記コンクリート養生用ネットヒーターは、木製のコンクリートパネルを介して打設されたコンクリートを保温養生するものであるから、該コンクリート養生用ネットヒーターは比較的簡単、且つ、安価に作成することができると共に、軽量、且つ、ポリエチレン製の格子状の可撓性ネットであるので、持ち運びが容易であり、且つ、種々の場所に施工することが可能である。
【００２２】
請求項２記載の発明は、可撓性ネットの所定範囲内に所定温度に制御される電気温床線を固着手段を用いて複数列に配設したコンクリート養生用ネットヒーターであり、前記電気温床線の配設に当たり、該電気温床線を前記ネットと共にガラス繊維で巻装し、該巻装したガラス繊維を固着手段であるプラスチック結束バンドを用いて固定して成るコンクリート養生用ネットヒーターであって、上記可撓性ネットは市販のポリエチレン製の格子状の可撓性ネットを以って充当されるとともに、上記電気温床線に対する所定温度の制御はバイメタルを用いることによって遂行されるところのコンクリート養生用ネットヒーターを形成し、該コンクリート養生用ネットヒーターをコンクリート打設前の打ち止め型枠と木製のコンクリートパネル間に設置し、コンクリートを養生するコンクリート養生用ネットヒーターを用いたコンクリート養生方法であるので、
コンクリート打設直後からコンクリートに直接接触することなく給熱養生することができ、冬期に於ける打設コンクリートの凍結を防止して、品質の低下を防止できると共に、コンクリートの養生を促進し、型枠の脱型を早くし、施工サイクルを短縮することが可能となる。又、前記養生方法はケルン作業でコンクリートパネルが痛んだ場合、該コンクリートパネルのみを交換すれば良く、前記コンクリート養生用ネットヒーターは何度でも使用可能であり、経済的である等、正に著大なる効果を奏する発明である。
【図面の簡単な説明】
【図１】本発明の一実施の形態を示し、コンクリート養生用ネットヒーターの正面図。
【図２】図１に示すネットに電気温床線を取付けた状態を示す一部拡大正面図。
【図３】打ち止め型枠とコンクリートパネルの間にコンクリート養生用ネットヒーターを取付けた状態を示す正面縦断面図。
【図４】（ａ）従来例を示し、コンクリート養生用ネットヒーターの正面図。
（ｂ）図４（ａ）に示すコードヒーターの側面縦断面図。
（ｃ）図４（ｂ）に示すコードヒーターの末端部の正面縦断面図。
【符号の説明】
１１        コンクリート養生用ネットヒーター
１２        格子状のネット（可撓性）
１３        電気温床線
１５        ガラス繊維
１６        プラスチック結束バンド
１７        打ち止め型枠
１８        コンクリートパネル（木製）
【図１】
0003871588.tif 000002
【図２】
0003871588.tif 000003
【図３】
0003871588.tif 000004
【図４】
0003871588.tif 000005